(57)【要約】  楽器増幅システムはフットスイッチと主増幅装置とを備え、そのコントロール・パネルは、ユーザが様々な増幅パラメータを設定することを可能にする、スイッチ、スライダ、ダイアル、その他同様のもの等の、様々なコントロールを有している。複数のコントロールを有するリモート・フットスイッチはフロントパネルに接続されており、コントロールは特定の増幅パラメータのセットか、又は、特定のパラメータのコントロールに割り当てられてよく、これにより演奏者は、演奏中に増幅器コントロールへ改良されたアクセスをすることが可能である。
2010506227.tif 000002
【特許請求の範囲】
【請求項１】
楽器増幅システムであって、
複数の増幅パラメータを有する増幅装置と、
前記増幅装置の前記増幅パラメータをユーザが設定可能なように動作することができる複数の第１のコントロールを備えた、第１のコントロール装置と、
前記第１のコントロール装置とリモート通信し、複数の第２のコントロールを備えた第２のコントロール装置と
を備え、
前記第２のコントロールの少なくとも１つはユーザ定義可能な機能を有し、これにより前記増幅装置の少なくとも１つの増幅パラメータをユーザがコントロール可能なように動作可能であることを特徴とする楽器増幅システム。
【請求項２】
前記第２のコントロール装置の前記ユーザ定義可能なコントロールの各々は、前記第１のコントロール装置において選択されたコントロールと同じ機能を割り当てることができることを特徴とする請求項１に記載の楽器増幅システム。
【請求項３】
前記第２のコントロール装置の前記ユーザ定義可能なコントロールの各々は、前記増幅装置の前記増幅パラメータを選択された値のセットに設定するように動作可能なように割り当てることができること特徴とする請求項１又は２に記載の楽器増幅システム。
【請求項４】
前記複数の第１のコントロールの数は、前記複数の第２のコントロールの数よりも大きいことを特徴とする請求項１から３のいずれか１項に記載の楽器増幅システム。
【請求項５】
前記複数の第２のコントロールの各々は、一回の押下で動作されることを特徴とする請求項１から４のいずれか１項に記載の楽器増幅システム。
【請求項６】
前記第２のコントロール装置は、フットスイッチを備えることを特徴とする請求項１から５のいずれか１項に記載の楽器増幅システム。
【請求項７】
前記第２のコントロール装置の前記ユーザ定義可能なコントロールの各々は、ユーザの選択により、特定の増幅パラメータのセットか、又は、特定のパラメータの前記コントロールに割り当てることができることを特徴とする請求項１から６のいずれか１項に記載の楽器増幅システム。
【請求項８】
前記ユーザ定義可能な機能は、前記複数の第１のコントロールか、又は、前記複数の第２のコントロールを介してユーザ定義可能であることを特徴とする請求項１から７のいずれか１項に記載の楽器増幅システム。
【請求項９】
楽器増幅装置用のリモート・コントロール装置であって、
前記楽器増幅装置は複数の増幅パラメータを有し、
前記コントロール装置は複数のコントロールを備え、
前記コントロールの少なくとも１つはユーザ定義可能な機能を有し、これにより前記楽器増幅装置の少なくとも１つの増幅パラメータをユーザがコントロール可能なように動作可能であることを特徴とするリモート・コントロール装置。
【請求項１０】
フットスイッチであることを特徴とする請求項９に記載のリモート・コントロール装置。
【請求項１１】
前記複数のコントロールの少なくとも１つは、所望の増幅パラメータに割り当てることができ、これにより前記ユーザが該増幅パラメータの値を変更するために動作可能であることを特徴とする請求項９又は１０に記載のリモート・コントロール装置。
【請求項１２】
前記複数のコントロールの少なくとも１つは、前記増幅装置の前記増幅パラメータを選択された値のセットに設定するように動作可能なように割り当てることができること特徴とする請求項９から１１のいずれか１項に記載のリモート・コントロール装置。
【請求項１３】
前記複数のコントロールの各々は、一回の押下で動作されることを特徴とする請求項１から１２のいずれか１項に記載の楽器増幅システム。
【発明の詳細な説明】
【技術分野】
【０００１】
本発明は楽器増幅システムに関し、例えば、楽器増幅装置または楽器増幅システムをコントロールするフットスイッチにおける使用を見いだしてもよい。
【背景技術】
【０００２】
楽器増幅（アンプ）システムは一般に様々なコントロールを有するが、これは、通常、増幅器自体のフロントパネルで提供される。演奏者は、所望の増幅パラメータを選択するためにこれらのコントロールを使用してもよい。概して、演奏者に与えられる２つのレベルの音のコントロール、即ち、「チャネル」と、当該チャネルのための特定の「モード」とが存在する。さらに、フロントパネルは、出力ボリュームのような、より一般的な設定のコントロール（制御）も可能にする。従来、楽器増幅システムは、楽器の演奏中に演奏者がチャネル又はモードを変更することを可能にするために、フットスイッチ又はその集合によりリモート・コントロール（遠隔制御）されてきた。
【０００３】
典型的な楽器増幅器は、入力部と、信号を処理する電子回路と、信号出力部または直接ラウドスピーカとすることができる出力部とから構成される。信号処理段階では、与えられた入力から様々な音声を提供するための様々な回路を有することが一般的であり、これはチャネルとして知られている。一般的な例は、クリーン・チャネルとディストーション（歪み）・チャネルであり、これはクリーンな楽器またはロック音楽に関連する歪んだギター音と同様の音を演奏者に実現可能にするかもしれない。
【０００４】
一般に、チャネルは、演奏者が音声をより正確にコントロールすることを可能にするために、その回路を用いて特定の増幅パラメータを選択するための、独自のユーザ・コントロールのセット（集合）を有している。さらに、チャネル内では、「モード」として知られる基本チャネルを変化させたもの（バリエーション）を提供して、様々な音声が取得可能かもしれない。演奏者は、例えば、このようなフロントパネルのコントロールを介してゲイン、高音、中音、及び低音を操作することが可能であり、さらに様々なゲインまたは歪みの設定や、明度コントロールなどを切り替えることも可能である。
【０００５】
演奏者は一般に、様々な理由で、演奏中にフロントパネルのコントロールを操作することができないだろう。演奏者の手は楽器の演奏でふさがり、コントロールの操作は演奏者の注意の非常に多くをそらし、一般に、フロントパネルに近接していることは非常に煩わしいだろう。現在入手可能なフットスイッチは、楽器の演奏中に特定のチャネルを選択するために足（フット）で押してもよい１以上のボタンを提供し、これにより演奏中の増幅器の機能の基本的な選択が提供される。
【０００６】
したがって、従来のフロントパネルとフットスイッチ・システムは、演奏者に二つの望ましくない選択肢を与えている。演奏者は、増幅器の利用可能な機能の小さなサブセットにまで、その演奏を妥協して制限しなければならず、演奏者がモードや他の設定の変更を望んだ場合、演奏者は、様々なフットスイッチの実用的でない配列の操作を試みなければならない。
【発明の概要】
【発明が解決しようとする課題】
【０００７】
本発明の目的は、演奏者に過度の負担を課さないで、演奏中に、増幅器の非常に広範囲の機能へのコントロールを演奏者に提供することである。
【課題を解決するための手段】
【０００８】
したがって、本発明の第１の側面は、楽器増幅システムであって、
複数の増幅パラメータを有する増幅装置と、
前記増幅装置の前記増幅パラメータをユーザが設定可能なように動作することができる複数の第１のコントロールを備えた、第１のコントロール装置と、
前記第１のコントロール装置とリモート通信し、複数の第２のコントロールを備えた第２のコントロール装置と
を備え、
前記第２のコントロールの少なくとも１つはユーザ定義可能な機能を有し、これにより前記増幅装置の少なくとも１つの増幅パラメータをユーザがコントロール可能なように動作可能であることを特徴とする楽器増幅システムに存する。
【０００９】
本発明の第２の側面によれば、楽器増幅装置用のリモート・コントロール装置であって、
前記楽器増幅装置は複数の増幅パラメータを有し、
前記コントロール装置は複数のコントロールを備え、
前記コントロールの少なくとも１つはユーザ定義可能な機能を有し、これにより前記楽器増幅装置の少なくとも１つの増幅パラメータをユーザがコントロール可能なように動作可能であることを特徴とするリモート・コントロール装置が提供される。
【発明の効果】
【００１０】
本発明の実施形態例によれば、演奏者は、増幅器システムのコントロールまたはスイッチ（または、これらの組み合わせ）を任意の利用可能なリモート・コントローラ・スイッチに割り当てることが可能であり、これにより、予め定められた固定の配置を有することの制約が克服される。
【図面の簡単な説明】
【００１１】
以下、次の図面を参照して、一例として、本発明を説明する。
【図１】従来のフット・コントローラを示す図である。
【図２】本発明の一実施形態に係るフット・コントローラを示す図である。
【発明を実施するための形態】
【００１２】
本発明の原理を説明するために、複数チャネルの楽器増幅システムを参照する。しかし、本発明はここで示す場合に限られるわけではなく、同じ原理で全てコントロールされる異なるモードまたは追加の回路を有する異なるチャネル構成が含まれてもよい。
【００１３】
図１は従来のフットスイッチ・リモート・コントローラ１を示している。フットスイッチは複数のボタン１１ａ〜１１ｆを備えており、ボタン１１ａ〜１１ｆの各々は予め定められた特定のチャネルを選択する。フットスイッチは複数のＬＥＤ１２ａ〜１２ｆも備えており、ＬＥＤ１２ａ〜１２ｆの各々はボタンに対応しており、したがって予め定められた特定のチャネルに対応する。対応するチャネルが選択された場合、ＬＥＤは発光することになる。
【００１４】
図２は、本発明の一実施形態に係るフットスイッチ２０を示している。このフットスイッチは複数のボタン２１ａ〜２１ｆを備えている。ボタンは予め定められた機能を有さず、演奏者が割り当ててよく、従って、増幅器の利用可能な特徴への改善されたアクセスが可能になる。さらに、フットスイッチは、増幅器の特定のチャネルにそれぞれ対応する複数のＬＥＤインジケータ２２ａ〜２２ｇも備えている。このように、ボタンは公知のフットスイッチのように特定のチャネルに対応しているわけではないため、演奏者はどのチャネルが現在選択されているかを認識する。
【００１５】
フットスイッチは、有線、或いは、無線又は赤外線のような他の任意の公知の形態の通信により、主増幅器に接続されてもよい。増幅器とフットスイッチとの少なくともいずれかには、様々なコンフィギュレーションのプログラミングや記憶を可能にするために、マイクロコントローラ又は他の任意の電子プロセッサが備えられている。
【００１６】
本実施形態では、リモート・コントローラ上の各ボタンにおいて、２つの種類の主な割り当て、即ち、キー・ストア（キー記憶）とプリセット・ストア（プリセット記憶）を行ってもよい。
【００１７】
キー・ストアは、ユーザが、フロントパネルのスイッチをリモート・コントローラのボタンの一つに割り当てることを可能にする。これは、例えば、所望のリモート・コントローラ・スイッチを押し下げ、リモート・コントローラ・スイッチが押し下げられている間に同時に関連するフロントパネル・スイッチを押下することにより実現してもよい。このようにして、プログラムされたリモート・コントローラ・スイッチは、フロントパネルの一つの機能を複製するだろう。例えば、ユーザはリモート・コントローラ・スイッチ２１ａをマスタ・ボリュームに割り当ててもよいだろう。その後、ユーザがスイッチ２１ａを押下する度に、ボリュームは徐々に増加する。
【００１８】
プリセット・ストアは、フロントパネル上で選択されたパラメータの特定の組み合わせを、ユーザがリモート・コントローラ上のスイッチに割り当てることを可能にする。これは、例えば、所望のリモート・コントローラ・スイッチを所定時間（例えば、３秒）押し下げることにより実現してもよく、フロントパネル上で選択されたコンフィギュレーションは、そのリモート・コントローラ・スイッチにマッピングされるだろう。その後、このリモート・コントローラ・スイッチは、それが押下される度にプログラムされた増幅器コンフィギュレーションをリコールする（呼び出す）だろう。
【００１９】
図２に示す実施形態は、チャネルの各々が複数の異なるモードを有する複数チャネル装置である。チャネルの各々は、ユーザが所望のモードを選択することを可能にする独自の専用モード・スイッチをフロントパネル上に有している。増幅器は、フロントパネル・スイッチを用いて選択される、残響、外部効果、又は様々な出力レベルのようないくつかの付加的な回路も有しているだろう。
【００２０】
そして、この増幅器は、同じ機能性を再現するためには極めて大きな従来のフットスイッチを要したであろう、効果、残響、及び出力レベルの複数の可能な組み合わせをそれぞれ有する、複数の異なる音声を提供することが可能であるだろう。
【００２１】
複数チャネル楽器増幅システムを参照してきたが、本発明には、全て同じ原理でコントロールされる様々なモード又は付加的な回路を有する様々なチャネル構成が含まれてもよい。実際、従来の増幅器コントロールを用いてコントロールされる全ての特性を本発明に係るフットスイッチを用いてコントロールしてもよいことが予想される。
【００２２】
さらに、本発明に係る増幅装置は、プログラムできない標準リモート・コントローラと後方互換性を有し、それによりそのような装置の通常の機能を再現するように構成されてもよい。
【図１】
2010506227.tif 000003
【図２】
2010506227.tif 000004
【手続補正書】
【提出日】平成21年6月9日(2009.6.9)
【手続補正１】
【補正対象書類名】特許請求の範囲
【補正対象項目名】全文
【補正方法】変更
【補正の内容】
【特許請求の範囲】
【請求項１】
複数の第１コントロールを用いて設定してもよい複数の増幅パラメータを有する楽器増幅装置への接続のためのコントロール装置であって、
前記コントロール装置は、
少なくとも１つがユーザ定義可能なコントロールである複数の第２コントロールを備え、
前記楽器増幅装置の増幅パラメータの現在のセットを前記コントロール装置が格納してもよい、「プリセット・ストア」動作と、
前記楽器増幅装置の前記増幅パラメータを前記コントロール装置により格納されたパラメータのセットに設定する、「プリセット・リコール」動作と
を実行するように動作可能であり、
前記「プリセット・ストア」動作又は「プリセット・リコール」動作を実行するために必要なユーザ入力は、前記ユーザ定義可能なコントロールの１つの１回の駆動だけである
ことを特徴とするコントロール装置。
【請求項２】
前記コントロール装置は、
前記ユーザ定義可能なコントロールの１つの機能が、前記複数の第１コントロールの選択された１つの機能にマッピングされる、「キー・ストア」動作を実行するように、さらに動作可能であり、
前記「キー・ストア」動作を実行するために必要なユーザ入力は、前記複数の第１コントロールの前記１つの１回の駆動と、前記ユーザ定義可能なコントロールの前記１つの１回の駆動とだけである
ことを特徴とする請求項１に記載のコントロール装置。
【請求項３】
フットスイッチであることを特徴とする請求項１に記載のコントロール装置。
【請求項４】
複数の第１コントロールを用いて設定してもよい複数の増幅パラメータを有する楽器増幅装置への接続のためのコントロール装置であって、
少なくとも１つがユーザ定義可能なコントロールである複数の第２コントロールを備え、
前記ユーザ定義可能なコントロールの１つの機能が、前記複数の第１コントロールの選択された１つの機能にマッピングされる、「キー・ストア」動作を実行するように動作可能であり、
前記「キー・ストア」動作を実行するために必要なユーザ入力は、前記複数の第１コントロールの前記１つの１回の駆動と、前記ユーザ定義可能なコントロールの前記１つの１回の駆動とだけである
ことを特徴とするコントロール装置。
【請求項５】
フットスイッチであることを特徴とする請求項４に記載のコントロール装置。
【請求項６】
楽器増幅システムであって、
楽器増幅装置と、
前記楽器増幅装置とリモート通信するコントロール装置と、
を備え、
前記楽器増幅装置は、複数の第１のコントロールを用いて設定してもよい、複数の増幅パラメータを有し、
前記コントロール装置は、
少なくとも１つがユーザ定義可能なコントロールである複数の第２コントロールを備え、
前記楽器増幅装置の増幅パラメータの現在のセットを前記コントロール装置が格納してもよい、「プリセット・ストア」動作と、
前記楽器増幅装置の前記増幅パラメータを前記コントロール装置により格納されたパラメータのセットに設定する、「プリセット・リコール」動作と
を実行するように動作可能であり、
前記「プリセット・ストア」動作又は「プリセット・リコール」動作を実行するために必要なユーザ入力は、前記ユーザ定義可能なコントロールの１つの１回の駆動だけである
ことを特徴とする楽器増幅システム。
【請求項７】
前記コントロール装置は、
前記ユーザ定義可能なコントロールの１つの機能が、前記複数の第１コントロールの選択された１つの機能にマッピングされる、「キー・ストア」動作を実行するようにさらに動作可能であり、
前記「キー・ストア」動作を実行するために必要なユーザ入力は、前記複数の第１コントロールの前記１つの１回の駆動と、前記ユーザ定義可能なコントロールの前記１つの１回の駆動とだけである
ことを特徴とする請求項６に記載の楽器増幅システム。
【請求項８】
前記複数の第１のコントロールの数は、前記複数の第２のコントロールの数よりも大きいことを特徴とする請求項６に記載の楽器増幅システム。
【請求項９】
前記コントロール装置はフットスイッチであることを特徴とする請求項６に記載の楽器増幅システム。
【請求項１０】
楽器増幅システムであって、
楽器増幅装置と、
前記楽器増幅装置とリモート通信するコントロール装置と、
を備え、
前記楽器増幅装置は、ユーザが設定してもよい複数の増幅パラメータを有し、
前記コントロール装置は、
少なくとも１つがユーザ定義可能なコントロールである複数の第２コントロールを備え、
前記ユーザ定義可能なコントロールの１つの機能が、前記複数の第１コントロールの選択された１つの機能にマッピングされる、「キー・ストア」動作を実行するように動作可能であり、
前記「キー・ストア」動作を実行するために必要なユーザ入力は、前記複数の第１コントロールの前記１つの１回の駆動と、前記ユーザ定義可能なコントロールの前記１つの１回の駆動とだけである
ことを特徴とする楽器増幅システム。
【請求項１１】
前記複数の第１のコントロールの数は、前記複数の第２のコントロールの数よりも大きいことを特徴とする請求項１０に記載の楽器増幅システム。
【請求項１２】
前記コントロール装置はフットスイッチであることを特徴とする請求項１０に記載の楽器増幅システム。
【国際調査報告】
2010506227.tif 000005
2010506227.tif 000006
2010506227.tif 000007